(57)【要約】【課題】本発明は、送風機から吐き出される水滴が、試験空間側に飛散することがない環境試験装置を提供することを目的とする。【解決手段】環境試験装置１は、加熱ヒータと蒸発器と送風機２７が配された空調用通路７と、試料体が配される試験室６とを備え、試験室６内を所望の環境にするべく、空調用通路７と試験室６との間で空気を循環させるものである。空調用通路７には、上下を区分する閉塞壁１６が設けられ、その閉塞壁１６には送風機２７の吐出口３６が連通する空気流通開口１７と、主に液体が流通する液体流通開口１１が設けられている。そして、液体流通開口１１は、空気流通開口１７よりも空気の流れ方向下流側であって、送風機２７から吐き出される風の影響が少ない領域に位置するように設定されている。【選択図】図２
2014025903.tif 000002
【特許請求の範囲】
【請求項１】
熱源と送風機を有した空気調整空間と、試料体が配される試験空間とを備え、空気調整空間と試験空間との間で空気を循環させて、試験空間内を所望の環境に形成する環境試験装置であって、
空気調整空間には、上下を区分する閉塞壁が設けられ、当該閉塞壁には、主に空気の流通を想定した空気流通開口が設けられ、
送風機は、吐出口を有し、当該吐出口が前記空気流通開口と連通するように設置されており、
前記空気流通開口と試験空間との間には、主に液体の流通を想定した液体流通開口が設けられていることを特徴とする環境試験装置。
【請求項２】
前記液体流通開口を、送風機による風の影響が小さい領域に設けたことを特徴とする請求項１に記載の環境試験装置。
【請求項３】
空気調整空間と試験空間との間を区切る空間分割壁を有し、
前記空間分割壁は、前記閉塞壁と接続されるもので、
前記液体流通開口は、空間分割壁又は閉塞壁に設けられていることを特徴とする請求項１又は２に記載の環境試験装置。
【請求項４】
前記液体流通開口は、前記空気流通開口と比べると、開口面積が小さいことを特徴とする請求項１〜３のいずれかに記載の環境試験装置。
【請求項５】
前記液体流通開口を複数設けたことを特徴とする請求項１〜４のいずれかに記載の環境試験装置。
【発明の詳細な説明】
【技術分野】
【０００１】
本発明は、閉空間の温度環境を調整する機能を有した環境試験装置に関するものであり、特に閉空間内の空気を攪拌する送風機を備えた環境試験装置に関する。
【背景技術】
【０００２】
製品や素材等（以下、単に試料体という）の性能や耐久性を試験する装置として、環境試験装置がある。この種の環境試験装置は、試験対象の試料体が載置される試験空間を備え、この試験空間内の温度や湿度を所望の試験環境に調整するものである。すなわち、この種の環境試験装置は、試験空間内を所望の試験環境に調整するべく、空気を加熱するヒータや、空気を冷却する冷却器（例えば、冷凍サイクルの一部を形成する蒸発器）、さらには試験空間内の空気を攪拌する送風機が少なくとも搭載されている。
【０００３】
例えば、特許文献１には、１つの恒温恒湿槽内を、仕切壁によって、試料体を載置する試験空間と、試験環境の形成に寄与する前記した各機器（ヒータ、冷却器、並びに送風機等）が配された空気調整空間とに区分した環境試験装置が開示されている。そして、この環境試験装置は、送風機よりも空気の流れ方向上流側にヒータや冷却器を配し、ヒータや冷却器で温度調整された空気（以下、調整空気ともいう）を、送風機によって試験空間側に送り出し、試験空間内の温度や湿度を調整する構成とされている。
【０００４】
ところが、この種の環境試験装置は、試験空間内を所望の試験環境に調整する際に、送風機から送り出される調整空気と共に水滴が吐き出される場合がある。すなわち、蒸発器に付着した水滴が送風機に混入して、そのまま当該送風機から吐き出される場合がある。また同様に、送風機内に導入された調整空気に含まれた水蒸気が、意図しない温度変化等の影響により、凝縮して水滴となり、その水滴が当該送風機から吐き出される場合がある。特にこの後者に関しては、試験空間内を高湿状態に制御する場合に発生し易い。
【０００５】
すなわち、試験空間内を高湿の試験環境に調整する場合は、高湿状態の調整空気が送風機に導入される。一般的に、高湿状態の空気は、微少な温度低下によっても飽和状態に至り、水滴を発生してしまう可能性が高い。すなわち、送風機に高湿状態の調整空気が導入され、送風機内で当該調整空気の温度が微少であっても低下した場合においては、調整空気が飽和状態となり、幾分かの水滴を発生させる。そして、このようにして発生した水滴は、調整空気の流れに乗って、送風機の吐出口から飛散するように吐出したり、送風機の吐出口に至る内壁に沿ってせり上がるようにして吐出する。
【０００６】
こうして、送風機から水滴が吐き出されると、試験空間側に飛散する場合がある。そして、この飛散した水滴が、環境試験中の試料体に付着すれば、試料体や試験そのものに悪影響を及ぼすおそれがあるため、回避する必要があった。
そのため、この種の環境試験装置１０１は、図１２に示すように、空気調整空間１０２内に配した送風機１１３が、その吐出口１１５を上方に向けた姿勢で設置された構成とされている。これにより、送風機１１３から吐出される調整空気を、一旦、上方に向けて送り出すことができるため、調整空気と共に運ばれてくる水滴が、直接、試験空間１０３側に飛散してしまうことが抑制されている。
【先行技術文献】
【特許文献】
【０００７】
【特許文献１】特開２０１１−１６３５８５号公報
【発明の概要】
【発明が解決しようとする課題】
【０００８】
しかしながら、従来技術の環境試験装置１０１では、試験空間１０３側への水滴の飛散を完全に阻止することができなかった。すなわち、従来の環境試験装置１０１は、調整空気と共に吐き出される水滴が、送風機１１３の吐出口１１５近傍に集められるが、吐出口１１５から吐き出される後続の調整空気によって、その集められた水滴が試験空間１０３側に吹き飛ばされてしまう場合があった。
これについて、以下に具体的に説明する。
【０００９】
上記した環境試験装置１０１では、送風機１１３の吐出口１１５を除く他の部分が閉塞壁１０５により閉め切られている。また、送風機１１３の吐出口１１５から上方に向けて吐き出された水滴は、重力によって、吐出口１１５に程近い位置に落下する。すなわち、送風機１１３から吐き出され、重力によって落下した水滴であれ、送風機１１３の内壁をせり上がってきた水滴であれ、図１３（ａ）に示すように、閉塞壁１０５に集められる。そしてその後、閉塞壁１０５に落下した水滴（以下、落下後の水滴ともいう）は、送風機１１３から吐出する空気の流れの影響を受けて移動する。すなわち、落下後の水滴は、全体的に、送風機１１３の風の影響が少ない方に向けて移動し、図１３（ｂ）に示すような大きな水溜まりを形成する。そして、この水溜まりが、送風機の風の影響を受け得る所定の大きさまで成長すると、図１３（ｃ）に示すように、その水溜まりの一部が分離して、試験空間１０３側に移動し、ついには前記分離した水滴が試験空間１０３内に飛散してしまう。
【００１０】
このように、従来技術の環境試験装置は、送風機から吐出された水滴が、試験空間内に直接的に飛散することを防止できるが、送風機から吐出されて吐出口近傍に溜められた水滴を、試験空間内に飛散させてしまう場合があった。
【００１１】
そこで、閉塞壁上の水滴の飛散を防止するべく、送風機の吐出口よりも下流側に、水滴の飛散を防止するフィルターを設ける方策が勘案される。しかしながら、この方策を採用した場合、水滴の飛散は防止できるが、フィルター自体が空気抵抗となり、試験空間への風量が著しく落ちてしまうことが懸念される。そしてこれにより、試験空間において、所望の試験環境を生成することが困難となるおそれがある。また、フィルターが目詰まりを生じれば、環境試験装置本来の機能が損なわれてしまうおそれもある。
【００１２】
また、その他の方策として、送風機の送風量を通常よりも低減して環境試験を行うことが勘案される。これにより、閉塞壁上に落下した水滴の飛散の抑制効果が期待できる。しかしながら、この方策を採用した場合、送風機の送風量の低下によって、ヒータや冷却器を通過する空気の流通速度も低下するため、熱交換効率が大幅に低下し環境試験そのものに悪影響が及ぶおそれがある。
【００１３】
そこで、本発明では、従来技術の問題点に鑑み、送風機から吐き出される水滴が、試験空間側に飛散することがない環境試験装置を提供することを課題とする。
【課題を解決するための手段】
【００１４】
上記課題を解決するべく提供される請求項１に記載の発明は、熱源と送風機を有した空気調整空間と、試料体が配される試験空間とを備え、空気調整空間と試験空間との間で空気を循環させて、試験空間内を所望の環境に形成する環境試験装置であって、空気調整空間には、上下を区分する閉塞壁が設けられ、当該閉塞壁には、主に空気の流通を想定した空気流通開口が設けられ、送風機は、吐出口を有し、当該吐出口が前記空気流通開口と連通するように設置されており、前記空気流通開口と試験空間との間には、主に液体の流通を想定した液体流通開口が設けられていることを特徴とする環境試験装置である。
【００１５】
本発明の環境試験装置は、送風機の吐出口と連通する空気流通開口と、その空気流通開口に対して空気の流れ方向下流側に位置する試験空間との間に、主に液体が流通する液体流通開口を設けた構成とされている。すなわち、液体流通開口は、試験空間を基準とすれば、空気流通開口よりも空気の流れ方向下流側に位置している。これにより、送風機から水滴が吐き出されて、閉塞壁上にその水滴が落下した場合であっても、その水滴が試験空間側に到達する前に、液体流通開口を介して排出することができる。したがって、本発明によれば、送風機から吐き出された水滴を、液体流通開口から排出できるため、前記水滴が試験空間側に飛散することを防止することができる。
【００１６】
ここで、送風機から吐き出されて閉塞壁上に溜まった水滴を、効率的に排水するためには、液体流通開口の位置決めが重要である。先に説明したように、送風機から吐き出されて閉塞壁上に落下した水滴は、送風機から吐出される後続の風によって、「風の影響が小さい領域」に向かって移動する。また、この「送風機の風の影響が小さい領域」は、実際に環境試験を実施して、水滴の集合具合を目視することで決定することができる。すなわち、このようにして決定された「送風機の風の影響が小さい領域」に液体流通開口を設ければ、わざわざ勾配等を設けなくとも、所定の位置に水滴を集めることができるため、加工費等に起因したコストアップを避けることができる。
そこで、かかる知見に基づき提供される請求項２に記載の発明は、前記液体流通開口を、送風機による風の影響が小さい領域に設けたことを特徴とする請求項１に記載の環境試験装置である。
【００１７】
かかる構成によれば、閉塞壁上に落下した水滴を、「送風機による風の影響が小さい領域」に設けた液体流通開口から排出することができるため、閉塞壁の加工手間等によるコストアップを殆ど発生させない。また、「送風機による風の影響が小さい領域」には、水滴が集まり易いため、効率的な排水を実施することができる。すなわち、本発明によれば、試験空間側への水滴の飛散をより効果的に防止することができる。
【００１８】
本発明の環境試験装置は、空気調整空間と試験空間との間を区切る空間分割壁を有し、前記空間分割壁は、前記閉塞壁と接続されるもので、前記液体流通開口は、空間分割壁又は閉塞壁に設けられていることが望ましい。
【００１９】
本発明の環境試験装置に設ける前記液体流通開口は、前記空気流通開口と比べると、開口面積が小さいことが望ましい。（請求項４）
【００２０】
請求項５に記載の発明は、前記液体流通開口を複数設けたことを特徴とする請求項１〜４のいずれかに記載の環境試験装置である。
【００２１】
かかる構成によれば、複数の液体流通開口によって、閉塞壁に落下した水滴を排出することができるため、より効率的な排水を実施することが可能である。
【発明の効果】
【００２２】
本発明の環境試験装置は、送風機の吐出口が連通する空気流通開口と試験空間との間に、主に液体を排出する液体流通開口を設けたため、送風機の吐出口から水滴が吐き出されたとしても、その水滴が試験空間側に飛散してしまう前に、試験空間以外の場所に排出することができる。これにより、送風機から吐き出された水滴が、試験空間側に飛散することが防止されるため、環境試験中の試料体に水滴に起因した不具合を低減できる。
【図面の簡単な説明】
【００２３】
【図１】本発明の実施形態に係る環境試験装置を示す概念図である。
【図２】図１の環境試験装置の内部における要部の実体を示す斜視図である。
【図３】図２の閉塞壁を示す平面図である。
【図４】環境試験装置内部における空気の流れを示す概念図である。
【図５】（ａ）〜（ｃ）は、閉塞壁上に落下した水滴の経時的な移動状態を示す説明図である。
【図６】実施例と比較例の試験室内の様子を示す説明図である。
【図７】環境試験装置の仕切壁と閉塞壁の実体を示す分解斜視図である。
【図８】仕切壁の変形例を示す分解斜視図である。
【図９】図８の仕切壁と閉塞壁とが接合されて形成された液体流通開口を示す斜視図である。
【図１０】図９の液体流通開口を示す平面図である。
【図１１】液体流通開口の変形例を示す説明図である。
【図１２】従来の環境試験装置の内部を示す斜視図である。
【図１３】（ａ）〜（ｃ）は、図１２の環境試験装置における閉塞壁上に落下した水滴の経時的な移動状態を示す説明図である。
【発明を実施するための形態】
【００２４】
以下に、本発明の実施形態に係る環境試験装置１について説明する。
まず、本実施形態の環境試験装置１の基本構成について説明する。
図１に示す環境試験装置１は、周囲を断熱材３で覆われた筐体２を有する、所謂恒温恒湿装置である。すなわち、筐体２は、恒温恒湿槽５を成すものであり、内部が仕切壁（空間分割壁）４によって、試験室（試験空間）６と、空調用通路（空気調整空間）７とに区切られている。そして、恒温恒湿槽５内の上部側と下部側には、試験室６と空調用通路７とを連通する開口９、１９が設けられている。
【００２５】
試験室６は、環境試験を行う際に、試料となる機器や部品等を配置する空間で、当該空間の温度を検知する室内温度検知手段２３と、当該空間の相対湿度を検知する室内湿度検知手段２４が設けられている。室内温度検知手段２３は、例えば、従来公知の測温抵抗体等の温度センサである。一方、室内湿度検知手段２４は、例えば、従来公知の湿度センサである。
【００２６】
空調用通路７は、所望の温度や湿度の空気を生成する部分であり、下部側（空気の流れ方向上流側）から順番に、加湿器１４、蒸発器（熱源）１５、加熱ヒータ（熱源）２６、送風機２７が配されている。
加湿器１４は、蒸発皿３０と従来公知の電気ヒータ３１を有し、電気ヒータ３１によって蒸発皿３０内に貯留した水を蒸発させるものである。
蒸発器（冷却器）１５は、公知の冷却装置１０の一部であり、冷凍サイクルの一部を担うべく機能するものである。すなわち、蒸発器１５は、内部に相変化する冷媒が流通し、冷却能力と表面温度を変化させることができるものである。
加熱ヒータ２６は、従来公知の電気ヒータであり、空調用通路７を通過する空気を加熱するものである。
【００２７】
送風機２７は、従来公知の多翼型の遠心送風機であり、回転フィン２８とそれを内蔵した外郭部材３３を有し、回転フィン２８の軸心方向から空気を吸気して、回転方向に空気を吐出するものである。すなわち、送風機２７は、外郭部材３３に吸気口３５と吐出口３６を有し、吸気口３５は、外郭部材３３であって、回転フィン２８の回転軸と直交する側面に形成されており、吐出口３６は、回転フィン２８の回転方向に沿った周面に形成されている。
【００２８】
また、空調用通路７には、送風機２７よりも上部側（空気の流れ方向下流側）に、平面視形状が長方形を呈した閉塞壁１６が設けられている。閉塞壁１６は、所定の位置において形成された部材厚方向に貫通した空気流通開口１７を有し、当該空気流通開口１７からのみ空気の通過を許す部材である。すなわち、閉塞壁１６は、空気流通開口１７に、送風機２７の吐出口３６を連通させることによって、送風機２７から吐出される空気を、試験室６側に送ることができる。なお、本実施形態では、閉塞壁１６の空気流通開口１７の開口形状はほぼ方形状であり、当該空気流通開口１７の開口サイズは、送風機２７の吐出口３６の開口サイズとほぼ同じ大きさである。
【００２９】
続いて、本実施形態の環境試験装置１の特徴的構成について説明する。
本実施形態の環境試験装置１は、送風機２７から吐出され得る水滴の試験室６側への飛散を防止するべく、主に液体の流通を許す開口形状が円形の液体流通開口１１が閉塞壁１６に設けられている。
【００３０】
液体流通開口１１は、図１、２に示すように、閉塞壁１６に複数（本実施形態では３つ）設けられており、それぞれが所定の位置に配されている。そして、本実施形態では、各液体流通開口１１ａ〜１１ｃの位置が、予め実施された実験により決定されている。具体的には、各液体流通開口１１ａ〜１１ｃの位置は、送風機２７から吐出した水滴が溜まり得る位置であり、閉塞壁１６に落下後、送風機２７から吐き出される後続の風の影響で水滴が集まり得る領域内である。すなわち、本実施形態では、実験により、図３に示すように、送風機２７から吐き出される風の影響が小さい領域Ｖに、水滴が集まることを確認し、その領域Ｖに各液体流通開口１１ａ〜１１ｃを設けることとした。
以下、この領域Ｖについて詳細に説明する。
【００３１】
すなわち、前記領域Ｖを構成する領域Ｖ１〜Ｖ３は、空気の流れ方向を基準に、空気流通開口１７と試験室６との間であって、送風機２７から水滴が吐出した際に、その水滴が風によって下流に流され得る距離を考慮した位置に設定されている。つまり、各領域Ｖ１〜Ｖ３は、閉塞壁１６における、空気流通開口１７よりも空気の流れ方向下流側の位置に設けられている。
【００３２】
より詳細には、各領域Ｖ１〜Ｖ３は、送風機２７の吐出風量にも依るが、図３に示すように、空気流通開口１７の最も試験室６寄りの開口辺部４０を基準に、その開口辺部４０から各領域Ｖ１〜Ｖ３の空気流通開口１７側端部までの距離Ｐが、一定距離離反する位置に配されている。また、空気流通開口１７の開口辺部４０から各領域Ｖ１〜Ｖ３の試験室６側端部までの距離Ｓが距離Ｐよりも長い。すなわち、各領域Ｖ１〜Ｖ３は、開口辺部４０から少なくとも距離Ｐ離れた位置で、空気流通開口１７の開口辺部４０に沿うように、直列状に位置するように設定されている。そして、領域Ｖ１〜Ｖ３は、隣接する互いの間隔Ｑ、Ｒを、空気流通開口１７の開口辺部４０に沿った方向に、所定距離空けた配置に設定されている。
【００３３】
したがって、液体流通開口１１ａ〜１１ｃのそれぞれは、各領域Ｖ１〜Ｖ３の範囲内において独立して存在し、各開口中心が、空気流通開口１７の開口辺部４０を基準とした所定の範囲（距離Ｐを超え且つ距離Ｓ未満の範囲）内に位置するような配置にされている。
【００３４】
次に、本実施形態の環境試験装置１の基本動作について説明する。
本実施形態の環境試験装置１では、送風機２７によって恒温恒湿槽５内の空気を循環して、試験室６内に所望の環境が作られる。すなわち、恒温恒湿槽５内の空気は、送風機２７によって仕切壁４の下部側の開口９から空調用通路７側に吸入され、空調用通路７を鉛直上方に向けて通過して、仕切壁４の上部側の開口１９から試験室６側に吐出される。
【００３５】
より詳細に説明すると、送風機２７が起動されると、図４に示すように、空調用通路７内の空気が送風機２７の吸気口３５に吸い込まれて、吐出口３６から吐出される。そして、送風機２７から吐出された空気は、仕切壁４の上部側の開口１９から試験室６側に送り出される。これにより、試験室６内の壁面に沿うように空気の流れが形成される。そして、仕切壁４の下部側の開口９に到達した空気が、再び空調用通路７内に導入される。空調用通路７には、前記したように、空気の流れ方向に沿って順番に加湿器１４、蒸発器１５、加熱ヒータ２６が配置されているため、空調用通路７に導入された空気は、加湿器１４で必要に応じて加湿され、蒸発器１５を通過してから、加熱ヒータ２６側に流れる。
なお、環境試験装置１は、室内温度検知手段２３と室内湿度検知手段２４によって、試験室６内の現状の温度（現状気温）と現状の相対湿度（現状相対湿度）が監視され、所定の設定条件に基づいて、各機器（加湿器１４、冷却装置１０、加熱ヒータ２６、送風機２７等）が制御される。
【００３６】
続いて、本実施形態の環境試験装置１における特徴的機能について説明する。
一般的に、環境試験装置１は、前記基本動作の際に、送風機から水滴が吐き出される場合がある。先にも説明したが、送風機から吐き出される水滴は、送風機の吐出口の姿勢により、直接的に試験室側に飛散することはほぼないが、閉塞壁に落下した後に二次的に飛散する場合がある。そこで、本実施形態では、送風機２７から吐き出されて閉塞壁１６に落下した水滴が、二次的に試験室６側に飛散することを防止できる水滴飛散防止機能を有する。
【００３７】
すなわち、本実施形態では、前記したように、閉塞壁１６に３つの液体流通開口１１ａ〜１１ｃを設け、その液体流通開口１１ａ〜１１ｃによって水滴飛散防止機能が果たされている。詳細に説明すると、前記基本動作によって、送風機２７が駆動され、送風機２７から水滴が吐き出されると、図５（ａ）に示すように、その水滴は送風機２７の吐出口３６に程近い閉塞壁１６上に落下する。すなわち、閉塞壁１６上に、複数の水滴が付着した状態となる。そして、閉塞壁１６上に落下した水滴（以下、落下後の水滴という）の大半は、送風機２７から吐き出される後続の風の影響により、所定の方向、つまり当該後続の風の影響が少ない領域（本実施形態では領域Ｖ１〜Ｖ３）に向かって移動する。すなわち、領域Ｖ１〜Ｖ３には、図５（ｂ）に示すように、落下後の水滴があらゆる方向から移動してくる。そして、領域Ｖ１〜Ｖ３のいずれかに到達した水滴が、図５（ｃ）に示すように、液体流通開口１１に至れば、その液体流通開口１１を介して、下方に排出される。具体的には、液体流通開口１１から排出された水滴は、空調用通路７の下方に向けて流れて排水される。なお、本実施形態では、空調用通路７の底部に、加湿器１４の蒸発皿３０が配されているため、蒸発皿３０に排水される。
【００３８】
このように、本実施形態では、閉塞壁１６に複数の液体流通開口１１を設けて、送風機２７から吐き出される水滴を、試験室６側に殆ど飛散させることなく適切に排出することができる。これは、以下に示す実験の結果からも明らかである。
【００３９】
すなわち、本実施形態の環境試験装置（実施例）１と、従来の環境試験装置（比較例）を、同一の試験条件（設定する目標温度及び目標湿度等）の下、作動させる実験を行った。そして、送風機２７から吐き出される水滴が、試験室６側にどの程度飛散するかを比較した。
【００４０】
実施例と比較例の実験結果は、以下に示す表１の通りである。
試験条件は、試験室６内の目標温度を摂氏１０℃、目標湿度を９８％とした。
また、試験室６には、試料体に見立てて、一辺が１００ｍｍの正方形状の銅板を４枚、所定の配置で並べた。具体的には、４枚の銅板は、図６に示すように、試験室６側から空調用通路７を正面視して、左側に２枚並べ（手前側から左Ａ、左Ｂとする）、右側に２枚並べた（手前側から右Ａ、右Ｂとする）配置である。
【００４１】
【表１】
2014025903.tif 000003
【００４２】
実験結果によれば、実施例の場合においては、送風機２７から吐き出される水滴の飛散量が少なく、いずれの銅板にも殆ど水滴の付着が見られなかったが（４枚の銅板の平均水滴付着数は約５滴）、比較例の場合においては、実施例に比べると水滴の飛散量が多く、全ての銅板に多くの水滴が付着していた（４枚の銅板の平均水滴付着数は約１６滴）。すなわち、実施例においては、比較例で見られた水滴数の約３割程度しか見られなかった。
【００４３】
上記実施形態では、液体流通開口１１を、送風機２７から吐き出される風の影響が少ない領域に設けた構成を示したが、本発明はこれに限定されず、液体流通開口を、送風機２７から吐き出される水滴が落下し得る領域に設けたり、前記風の影響が少ない領域と前記落下し得る領域に跨るように設けても構わない。例えば、送風機２７の吐出口３６から試験室６に至るまでの間に、スリット状の液体流通開口を設けた構成が挙げられる。
以下に、そのスリット状の液体流通開口について具体的に説明する。
【００４４】
まず、以下の説明の理解を容易にするべく、閉塞壁１６と仕切壁４の構成の実体について付言する。
上記実施形態では、説明を簡素化するために、板状の閉塞壁１６と仕切壁４を示し、単にそれらを突き合わせて接合したような恒温恒湿槽５内の構成を示したが、実際は若干異なる。すなわち、実際の環境試験装置では、図７に示すように、仕切壁４としては、試験室６側の側壁を形成する仕切本体４３と、その上端から仕切本体４３に対して直交方向に折り曲げられた仕切天面４５と、その仕切天面４５の張出端部から直交方向下方に折り曲げられた突き合わせ壁４６を有するものが採用され、閉塞壁１６としては、空気流通開口１７が設けられた閉塞本体４７と、閉塞本体４７の対向する一対の端部から直交方向下方に折り曲げられた突き合わせ壁４８、４９を有するものが採用されている。そして、仕切壁４と閉塞壁１６とは、突き合わせ壁４６と突き合わせ壁４８とを突き合わせて、スポット溶接やピン等の締結要素を用いて接合されている。
【００４５】
そこで、本発明者は、加工の容易性や、加工による強度低下の影響性等を考慮して、閉塞壁１６の突き合わせ壁４８あるいは仕切壁４の突き合わせ壁４６の一部を切り取って、スリット状の液体流通開口４２を形成することを考えた。そして、図８には、仕切壁４の突き合わせ壁４６の一部を切り取って形成された液体流通開口４２が示されている。すなわち、本構成においては、液体流通開口４２は、図９、１０に示すように、当該仕切壁４と閉塞壁１６とを突き合わせた状態において、閉塞壁１６の空気流通開口１７よりも下流側であって、その空気流通開口１７と試験室６とを結ぶ直線上に設けている。そしてこのように、液体流通開口４２を形成し配置することで、送風機２７から吐出される風の影響が少ない領域と水滴が落下し得る領域に液体流通開口４２を跨らせることができる。
したがって、本構成においても、上記実施形態とほぼ同様の作用効果を期待することが可能である。
なお、図９、１０に示したように、空気流通開口１７のスリット長さを、空気流通開口１７の開口幅よりも大きくすることで、上記実施形態より水滴除去の効果を高めることができる。
【００４６】
また、図１１に示すように、仕切壁４や閉塞壁１６を加工することなく、試験室６と空調用通路７とを区切る仕切壁４と、閉塞壁１６との間に若干の隙間２１を設け、その隙間２１から水滴を排出する構成であっても構わない。
また、本発明では、液体流通開口１１や隙間２１に強制的に水滴が流れ込むように、当該液体流通開口１１や隙間２１に向けて下り勾配の傾斜面を設けた構成であっても構わない。
【００４７】
上記実施形態では、液体流通開口１１を閉塞壁１６に３つ設けた構成を示したが、本発明はこれに限定されず、２つ以下であったり、４つ以上液体流通開口１１を設けた構成であっても構わない。また、液体流通開口１１は、円形の開口形状に限定されず、楕円形、長方形、矩形等、他のいかなる形状であっても構わない。
【００４８】
上記実施形態では、液体流通開口１１を通過した水滴は、空調用通路７を下方に向けて自然落下する構成を示したが、本発明はこれに限定されず、液体流通開口１１と連通する配管を設け、配管を介して排水できる構成であっても構わない。
【００４９】
上記実施形態では、領域Ｖの範囲よりも小さく設定した液体流通開口１１を設けた構成を示したが、本発明はこれに限定されず、領域Ｖの範囲と同程度の大きさの液体流通開口を設けた構成であっても構わない。
【符号の説明】
【００５０】
１    環境試験装置
４    仕切壁（空間分割壁）
６    試験室
７  空調用通路
１１    液体流通開口
１４    加湿器
１５    蒸発器（冷却器）
１６    閉塞壁
１７    空気流通開口
２１    隙間（液体流通開口）
２６    加熱ヒータ（ヒータ）
２７    送風機
３６    吐出口
Ｖ    領域
【図１】
2014025903.tif 000004
【図２】
2014025903.tif 000005
【図３】
2014025903.tif 000006
【図４】
2014025903.tif 000007
【図５】
2014025903.tif 000008
【図６】
2014025903.tif 000009
【図７】
2014025903.tif 000010
【図８】
2014025903.tif 000011
【図９】
2014025903.tif 000012
【図１０】
2014025903.tif 000013
【図１１】
2014025903.tif 000014
【図１２】
2014025903.tif 000015
【図１３】
2014025903.tif 000016